(57)【要約】【課題】ベルトローラー式マウス装置の提供。【解決手段】本発明によるベルトローラー式マウス装置において、リング部材を下部ハウジングの第１ローラーと第２ローラーの周りに取り付けて、リング部材を上部ハウジングの開口部に露出させる。この構成要素により、リング部材は二つの心軸に沿って回転し、従来のマウス装置に備える上部に突起したローラー構造をなくして、リング部材により順調な操作面を与えることができる。利用者はリング部材の操作による運動軌跡は、従来のマウス装置に備えるローラーのように、指を上から下、下から上の移動操作が不要のため、利用者腕部の痛みや運動傷害などの問題を防止し、操作の快適性を向上し、人間工学な設計である。【選択図】図２
2007317156.tif 000002
【特許請求の範囲】
【請求項１】
下部ハウジング、第１ローラー、第２ローラー、エンコーダ、リング部材及び上部ハウジングを含み、該収容空間に第１枢転素子、および第２枢転素子を設け、
第１ローラーは第１枢転素子に合せて、該下部ハウジングの収容空間に枢接し、
第２ローラーは第２枢転素子に合せて、該下部ハウジングの収容空間に枢接し、
エンコーダは該第１ローラーと該第２ローラーのいずれに設けて協働し、
リング部材は該第１ローラーと該第２ローラーの周りに設け、
上部ハウジングは該下部ハウジングに被せて、該上部ハウジングは該リング部材に合せて開口部を設け、該リング部材を該開口部に露出させることを特徴とするベルトローラー式マウス装置。
【請求項２】
該下部ハウジングに備える該収容空間に受け台を設け、該第１枢転素子と該第２枢転素子を該受け台に設けることを特徴とする請求項１記載のベルトローラー式マウス装置。
【請求項３】
該受け台は引き込んでノッチを設け、該第１ローラーは該第１枢転素子に合せて、該ノッチに取り付ける、該第２ローラーは該第２枢転素子に合せて、該ノッチに取り付けることを特徴とする請求項２記載のベルトローラー式マウス装置。
【請求項４】
該下部ハウジングの収容空間は第１滑動素子を設け、該受け台は第２滑動素子を該第１滑動素子に合せて、滑動することを特徴とする請求項２記載のベルトローラー式マウス装置。
【請求項５】
該第１滑動素子に一つ以上の滑り溝を設け、該第２滑動素子に一つ以上の滑りレールを設けて、一つ以上の滑り溝に合せて滑動することを特徴とする請求項４記載のベルトローラー式マウス装置。
【請求項６】
該下部ハウジングに備える収容空間に押しボタンを設け、該受け台に支え面を設け、該受け台は第１滑動素子により、該第２滑動素子と滑動するとき、該支え面は該押しボタンに支えることを特徴とする請求項４記載のベルトローラー式マウス装置。
【請求項７】
該下部ハウジングの第１枢転素子に第１軸孔を設け、該第１ローラーは第１枢軸を第１軸孔に合せて枢接することを特徴とする請求項１記載のベルトローラー式マウス装置。
【請求項８】
該下部ハウジングの第２枢転素子に第２軸孔を設け、該第２ローラーは第２枢軸を第２軸孔に合せて枢接することを特徴とする請求項１記載のベルトローラー式マウス装置。
【請求項９】
第３ローラーを設けるほか、該下部ハウジングに第３枢転素子を設け、該第３ローラーは該第３枢転素子に合せて、該収容空間に設けることを特徴とする請求項１記載のベルトローラー式マウス装置。
【請求項１０】
該上部ハウジングは外表面を有し、該リング部材は該開口部に露出し、該外表面と同じ高さを設けることを特徴とする請求項１記載のベルトローラー式マウス装置。
【発明の詳細な説明】
【技術分野】
【０００１】
本発明は一種ベルトローラー式マウス装置、特に一種のコンピュータ装置に使用するベルトローラー式マウス装置に関わるものである。
【背景技術】
【０００２】
通常、コンピュータ装置はマウス装置を装備し、マウスローラーを回転することにより、表示画面頁の繰り上げと繰り下げ操作できる。さらに、マウスローラーを押すことにより、マウスローラーは第３キーの機能を実行する。
【０００３】
しかしながら、マウスローラー機構について、その信号生成方式は光学受信方式またはエンコーダ方式に拘らず、一つのローラーを回転の心軸としているため、マウスローラーを操作するとき、利用者の指は上から下へ、下から上に移動必要のため、人間工学が配慮されていない。よって、使用時間経過後、腕部に痛みまたは障害を引き起こす。
【０００４】
その上、従来のマウス装置に備えるローラーの構造は、単一のローラー心軸設計で、マウスローラーはこの心軸を円心として回転する。一方、この種の設計はマウスローラーのはみ出し部分を円弧状に設け、つまり、マウスローラーを円形に設ける。利用者は手でマウスローラーを操作するとき、手首部の指の運動軌跡はマウスローラーに沿って、山登りのように、下から上、上から下の行程に運動する。よって、利用者の指はマウスローラーを長期使用後、痛みまたは障害の後遺症を引き起こす。このため、従来のマウスローラーは人間工学の配慮が足りない、理想とは言えない。
【発明の開示】
【発明が解決しようとする課題】
【０００５】
本発明によるベルトローラー式マウス装置は、主に下部ハウジング、第１ローラー、第２ローラー、エンコーダ、リング部材、および上部ハウジングより構成する。そのうち、下部ハウジングに収容空間を設け、外収容空間に第１枢転素子、および第２枢転素子を設ける。
【０００６】
第１枢転素子は前記の下部ハウジングに備える収容空間、第１枢転素子に合せて設け、第２枢転素子も前記の下部ハウジングに備える収容空間に、第２枢転素子に合せて設ける。エンコーダは第１ローラーと第２ローラーのいずれに枢接して協働する。
【０００７】
一方、リング部材を下部ハウジングの第１ローラーと第２ローラーの周りに取り付け、上部ハウジングは下部ハウジングに被せる。該上部ハウジングに開口部を設け、リング部材を収容し、リング部材を開口部に露出させる。
【０００８】
前記の構成要素により、リング部材を第１ローラーと第２ローラーの周りに取り付け、二つの心軸により回転する。リング部材は従来のマウス装置に備えるローラーのような上に突起する機構がないため、より順調な操作が得られる。利用者はリング部材を操作するによる運動軌跡は、従来のマウス装置に備えるローラーのように、指を上から下、下から上の移動操作が不要のため、利用者の腕部の痛みや運動傷害などの問題がないため、操作の快適性を向上し、人間工学な設計である。
【０００９】
前記の下部ハウジングに備える収容空間は受け台を収容し、かつ、第１枢転素子と第２枢転素子を該受け台に設ける。
【００１０】
このほか、前記の下部ハウジングに備える収容空間に押しボタンを設け、受け台に支え面を設けて、押しボタンを支える。
【００１１】
前記の構成要素はさらに、第３ローラーを設け、下部ハウジングに第３枢転素子を設ける。第３ローラーを収容空間の第３枢転素子に合せて取り付ける。
【００１２】
前記の上部ハウジングはさらに外表面を設け、リング部材を開口部に露出し、外表面と同じ高さ位置にする。
【課題を解決するための手段】
【００１３】
請求項１の発明は、下部ハウジングに収容空間を設け、外収容空間に第１枢転素子、および第２枢転素子を設ける、
第１ローラーを第１枢転素子に合せて、該下部ハウジングの収容空間に枢接する、
第２ローラーを第２枢転素子に合せて、該下部ハウジングの収容空間に枢接する、
エンコーダを該第１ローラーと該第２ローラーのいずれに設けて協働する、
リング部材を該第１ローラーと該第２ローラーの周りに設ける、
上部ハウジングを該下部ハウジングに被せて、該上部ハウジングは該リング部材に合せて開口部を設け、該リング部材を該開口部に露出させることを特徴とするベルトローラー式マウス装置としている。
請求項２の発明は、該下部ハウジングに備える該収容空間に受け台を設け、該第１枢転素子と該第２枢転素子を該受け台に設けることを特徴とする請求項１記載のベルトローラー式マウス装置としている。
請求項３の発明は、該受け台は引き込んでノッチを設け、該第１ローラーは該第１枢転素子に合せて、該ノッチに取り付ける、該第２ローラーは該第２枢転素子に合せて、該ノッチに取り付けることを特徴とする請求項２記載のベルトローラー式マウス装置としている。
請求項４の発明は、該下部ハウジングの収容空間は第１滑動素子を設け、該受け台は第２滑動素子を該第１滑動素子に合せて、滑動することを特徴とする請求項２記載のベルトローラー式マウス装置としている。
請求項５の発明は、該第１滑動素子に一つ以上の滑り溝を設け、該第２滑動素子に一つ以上の滑りレールを設けて、一つ以上の滑り溝に合せて滑動することを特徴とする請求項４記載のベルトローラー式マウス装置としている。
請求項６の発明は、該下部ハウジングに備える収容空間に押しボタンを設け、該受け台に支え面を設け、該受け台は第１滑動素子により、該第２滑動素子と滑動するとき、該支え面は該押しボタンに支えることを特徴とする請求項４記載のベルトローラー式マウス装置としている。
請求項７の発明は、該下部ハウジングの第１枢転素子に第１軸孔を設け、該第１ローラーは第１枢軸を第１軸孔に合せて枢接することを特徴とする請求項１記載のベルトローラー式マウス装置としている。
請求項８の発明は、該下部ハウジングの第２枢転素子に第２軸孔を設け、該第２ローラーは第２枢軸を第２軸孔に合せて枢接することを特徴とする請求項１記載のベルトローラー式マウス装置としている。
請求項９の発明は、第３ローラーを設けるほか、該下部ハウジングに第３枢転素子を設け、該第３ローラーは該第３枢転素子に合せて、該収容空間に設けることを特徴とする請求項１記載のベルトローラー式マウス装置としている。
請求項１０の発明は、該上部ハウジングは外表面を有し、該リング部材は該開口部に露出し、該外表面と同じ高さを設けることを特徴とする請求項１記載のベルトローラー式マウス装置としている。
【発明の効果】
【００１４】
本発明はベルトローラー式マウス装置。利用者の腕部の痛みや運動傷害などの問題がないため、操作の快適性を向上し、人間工学な設計である。
【発明を実施するための最良の形態】
【００１５】
図１は本発明の実施例１の立体図であり、図２は本発明の実施例１の分解図である。本発明によるベルトローラー式マウス装置は主に、下部ハウジング１、第１ローラー２、第２ローラー３、エンコーダ４、リング部材５、および上部ハウジング６より構成する。
【００１６】
図示の下部ハウジング１に収容空間を引き込んで設け、該収容空間１３に第１枢転素子１１、および第２枢転素子１２を設ける。本実施例において、下部ハウジング１に備える収容空間１３は受け台１４を収容し、かつ、第１枢転素子１１と第２枢転素子１２を該受け台１４に設ける。
【００１７】
このほか、前記の下部ハウジング１に備える収容空間１３の両側に第１滑動素子１３１をそれぞれ設け、受け台１４の両側に第２滑動素子１４２を第１滑動素子１３１に合せて、それぞれ設けて滑動する。本実施例において、第１滑動素子１３１に滑り溝１３３を設け、第２滑動素子１４２に滑りレール１４３を設ける。それぞれ滑り溝１３３に対応して滑動する。すなわち、受け台１４は第１滑動素子１３１の滑り溝１３３と第２滑動素子１４２の滑りレール１４３に沿って、下部ハウジング１の収容空間１３にて上下に滑動するい。
【００１８】
図示の下部ハウジング１に備える収容空間１３はさらに、押しボタン１３２を受け台１４の下方の電気回路板１６に設ける。受け台１４に支え面１４４を設け、受け台１４は第１滑動素子１３１と第２滑動素子１４２によって、下部ハウジング１に備える収容空間１３にて、下部に滑動するとき、受け台１４の支え面１４４は押しボタン１３２を支える。これにより、第３キーの機能を実行する。
【００１９】
このほか、図に示す第１ローラー２は前述の下部ハウジング１収容空間１３に備える受け台１４は第１枢転素子１１に合せて設け、第２ローラー３は第２枢転素子１２に合せて、下部ハウジング１に備える収容空間１３の受け台１４に取り付ける。
【００２０】
本実施例において、受け台１４はノッチ１４１を引き込んで設け、第１ローラー２はノッチ１４１の第１枢転素子１１に合せて取付、第２ローラー３も同じく、第２枢転素子１２に合せて、ノッチ１４１内部に取り付ける。
【００２１】
本実施例において、第１枢転素子１１に第１軸孔１１１を設け、第１ローラー２に第１枢軸２１を第１軸孔１１１に合せて取り付ける。第２枢転素子１２も同じく、第２軸孔１２１を設ける。第２ローラー３は第２軸孔１２１を合せて、第２枢軸３１を設ける。これにより、第１ローラー２と第２ローラー３は受け台１４において、転がり運動できる。
【００２２】
図示のエンコーダ４は第２ローラー３に枢接して回転することにより、エンコーダ４より第２ローラー３の回転回数を検知する。リング部材５は第１ローラー２と第２ローラー３の周りに設ける。上部ハウジング６は下から上へ下部ハウジング８１に被せて、収容空間１３を閉鎖する。上部ハウジング６はさらに開口部６１をリング部材５に合せて設け、リング部材５を開口部６１に露出させる。
【００２３】
本実施例において、リング部材５はゴム部材を使用する。上部ハウジング６に外表面６２に設け、リング部材５は開口部６１に露出し、外表面６２と同じく高さに設けるため、リング部材５は上部ハウジング６と互いに滑らかな表面を持たせて、美観性を向上する。ただし、リング部材５は外表面６２よりやや高く設けても良い。
【００２４】
図示のリング部材５に複数の突起線部５１を設け、操作ときの摩擦力を向上し、利用者のリング部材５使用により便利を与える。
【００２５】
前記のリング部材５を第１ローラー２と第２ローラー３の周りに取り付けることにより、リング部材５は二つの心軸により回転するため、リング部材５は従来のマウス装置に備えるローラーのような上に突起する機構がないため、より順調な操作が得られる。前記の構成要素により、利用者はリング部材５の運動軌跡をより順調に操作でき、従来のマウス装置に備えるローラーのように、指を上から下、下から上の移動操作が不要のため、利用者の腕部の痛みや運動傷害などの問題がないため、操作の快適性を向上し、人間工学な設計である。
【００２６】
図３に示すものは、本発明の実施例２の立体図である。主な構成要素は前記実施例１と同じ、下部ハウジング８１に取り付ける第１ローラー８２と第２ローラー８３が異なる。ただし、両者の軸距離を長くすることにより、リング部材８５は第１ローラー８２と第２ローラー８３の軸距離を長くするほか、上部ハウジング８４の開口部８４１も長く設ける。よって、リング部材８５は第１ローラー８２と第２ローラー８３を長く設けることにより滑らかとなる。さらに、長くすることで、操作面積も増加し、利用者の操作に大きい便利を与える。また、前記の実施例１と同じ効果を実現できる。
【００２７】
図４に示すものは、本発明の実施例３の立体図であり、主な構成要素実施例１と同じである。本実施例において、前記の構成要素をさらに、第３ローラー７を設け、下部ハウジング１０に第３枢転素子１５を設け、第３ローラー７は第３枢転素子１５に合せて、収容空間１３０に設ける。
【００２８】
リング部材７１は第３ローラー７により運動距離が長くなるほか、上部ハウジング６０の開口部６０１も長く設ける。この構成要素により、リング部材７１はより安定に回転できるほか、前記の実施例１および実施例２と同じ効果を実現できる。また、必要に応じて、ローラーを４つ、５つを設けても良い。
【図面の簡単な説明】
【００２９】
【図１】本発明の実施例１の立体図である。
【図２】本発明の実施例２の分解図である。
【図３】本発明の実施例２の立体図である。
【図４】本発明の実施例３立体図である。
【符号の説明】
【００３０】
１、１０、８１  下部ハウジング
１１  第１枢転素子
１１１  第１軸孔
１２  第２枢転素子
１２１  第２軸孔
１３、１３０  収容空間
１３１  第１滑動素子
１３２  押しボタン
１３３  滑り溝
１４  受け台
１４１  ノッチ
１４２  第２滑動素子
１４３  滑りレール
１４４  支え面
１５  第３枢転素子
１６  電気回路板
２、８２  第１ローラー
２１  第１枢軸
３、８３  第２ローラー
３１  第２枢軸
４  エンコーダ
５、７１、８５  リング部材
５１  突起線部
６、６０、８４  上部ハウジング
６１、６０１、８４１  開口部
６２  外表面
７  第３ローラー
【図１】
2007317156.tif 000003
【図２】
2007317156.tif 000004
【図３】
2007317156.tif 000005
【図４】
2007317156.tif 000006